(57)【要約】【課題】嵌合位置に保持されているレバーを初期位置側と退避位置側へ回動させる際の作業性の向上を図る。【解決手段】レバー式コネクタＡは、相手側コネクタＢとの嵌合の際には初期位置から嵌合位置へ回動され、端子金具１３を端子収容室１２に挿入する際には端子挿入口１６と非対応の退避位置に位置するレバー２０と、コネクタ本体１０に形成され、嵌合位置のレバー２０を初期位置側への回動規制状態にロック可能であり、弾性変形することでロックを解除する離脱規制用ロックアーム３１と、コネクタ本体１０に形成され、嵌合位置のレバー２０を退避位置側への回動規制状態にロック可能であり、弾性変形することでロックを解除する過回転規制用ロックアーム３５とを備える。【選択図】図１２
2019169326.tif 000002
【特許請求の範囲】
【請求項１】
コネクタ本体と、
前記コネクタ本体の外面に開口する端子挿入口から端子収容室に挿入される端子金具と、
前記コネクタ本体に取り付けられ、相手側コネクタとの嵌合の際には初期位置から嵌合位置へ回動され、前記端子金具を前記端子収容室に挿入する際には前記端子挿入口と非対応の退避位置に位置するレバーと、
前記コネクタ本体と前記レバーのうちいずれか一方に形成され、嵌合位置の前記レバーを初期位置側への回動規制状態にロック可能であり、弾性変形することでロックを解除して前記レバーが初期位置側へ回動することを許容する離脱規制用ロックアームと、
前記コネクタ本体と前記レバーのうちいずれか一方に形成され、嵌合位置の前記レバーを退避位置側への回動規制状態にロック可能であり、弾性変形することでロックを解除して前記レバーが退避位置側へ回動することを許容する過回転規制用ロックアームとを備えていることを特徴とするレバー式コネクタ。
【請求項２】
前記離脱規制用ロックアームに形成した離脱規制用ロック部と、前記過回転規制用ロックアームに形成した過回転規制用ロック部が、前記レバーの回動軸と平行な幅方向に関して互いに異なる位置に配置されていることを特徴とする請求項１記載のレバー式コネクタ。
【請求項３】
前記離脱規制用ロックアームと前記過回転規制用ロックアームが、前記レバーの前記回動軸と平行な側面視において部分的に重なるように配置されていることを特徴とする請求項２記載のレバー式コネクタ。
【請求項４】
前記離脱規制用ロックアームには、前記離脱規制用ロックアームをロック解除方向へ弾性変位させるための離脱規制用ロック解除操作部が形成され、
前記離脱規制用ロック解除操作部は、前記レバーの回動軸と平行な幅方向に関して前記コネクタ本体又は前記レバーの中央部に配置されていることを特徴とする請求項１ないし請求項３のいずれか１項に記載のレバー式コネクタ。
【請求項５】
前記過回転規制用ロックアームのうち前記レバーの回動軸と平行な幅方向中央部には、切欠部が形成され、
前記切欠部には、前記過回転規制用ロックアームがロック解除方向へ押されることを妨げる解除操作規制部が配されていることを特徴とする請求項１ないし請求項４のいずれか１項に記載のレバー式コネクタ。
【請求項６】
前記コネクタ本体の外面には、前記離脱規制用ロックアームをロック解除方向へ弾性変位させるための離脱規制用ロック解除操作部と、前記過回転規制用ロックアームがロック解除方向へ押されることを妨げる解除操作規制部とが、前記レバーの前記回動軸と平行な幅方向に関して同じ位置に配されており、
前記レバーの回動操作部には、前記離脱規制用ロック解除操作部との干渉を回避可能であり、且つ前記解除操作規制部との干渉を回避可能な逃がし部が形成されていることを特徴とする請求項１ないし請求項５のいずれか１項に記載のレバー式コネクタ。
【発明の詳細な説明】
【技術分野】
【０００１】
本発明は、レバー式コネクタに関するものである。
【背景技術】
【０００２】
特許文献１には、ハウジングに設けたレバーを初期位置から嵌合位置へ回動操作することで、コネクタと相手側コネクタとを嵌合するレバー式コネクタが開示されている。ハウジング内には端子金具を挿入するための端子収容室が形成され、端子収容室の端子挿入口がハウジングの外面に開口している。レバーが嵌合位置にある状態では、レバーの回動操作部が端子挿入口と対向する位置にあるため、端子金具を端子収容室に挿入する際に邪魔となる。そのため、ハウジングに端子金具を挿入する際には、レバーを端子挿入位置へ回動し、回動操作部を端子挿入口と対向しない位置へ退避させておくようになっている。
【先行技術文献】
【特許文献】
【０００３】
【特許文献１】特開２０１３−０４８０４６号公報
【発明の概要】
【発明が解決しようとする課題】
【０００４】
この種のレバー式コネクタは、レバーを嵌合位置へ回動させた状態が長期間継続されることから、レバーが嵌合位置にある状態では、レバーのハウジングからの突出量が小さく抑えられている。そのため、端子金具の挿入が済んだレバー式コネクタを、相手側コネクタとの嵌合現場へ搬送する際にも、レバーを嵌合位置に保持しておくことが好ましい。しかし、嵌合現場では、嵌合位置のレバーを初期位置へ回動させる必要があることから、レバーを嵌合位置に保持することが可能であり、且つ嵌合位置のレバーを簡単に初期位置側へ回動させることのできる手段が望まれる。
【０００５】
また、レバーが嵌合位置にある状態で、ハウジングから端子金具を抜き取るメンテナンス作業等を行うことがある。このような場合に備えて、レバーを嵌合位置に保持することが可能であり、且つ嵌合位置のレバーを簡単に端子挿入位置側へ回動させることのできる手段が望まれる。
本発明は上記のような事情に基づいて完成されたものであって、嵌合位置に保持されているレバーを初期位置側と退避位置側へ回動させる際の作業性の向上を図ることを目的とする。
【課題を解決するための手段】
【０００６】
本発明は、
コネクタ本体と、
前記コネクタ本体の外面に開口する端子挿入口から端子収容室に挿入される端子金具と、
前記コネクタ本体に取り付けられ、相手側コネクタとの嵌合の際には初期位置から嵌合位置へ回動され、前記端子金具を前記端子収容室に挿入する際には前記端子挿入口と非対応の退避位置に位置するレバーと、
前記コネクタ本体と前記レバーのうちいずれか一方に形成され、嵌合位置の前記レバーを初期位置側への回動規制状態にロック可能であり、弾性変形することでロックを解除して前記レバーが初期位置側へ回動することを許容する離脱規制用ロックアームと、
前記コネクタ本体と前記レバーのうちいずれか一方に形成され、嵌合位置の前記レバーを退避位置側への回動規制状態にロック可能であり、弾性変形することでロックを解除して前記レバーが退避位置側へ回動することを許容する過回転規制用ロックアームとを備えているところに特徴を有する。
【発明の効果】
【０００７】
レバーは離脱規制用ロックアームと過回転規制用ロックアームにより嵌合位置に保持される。相手側コネクタと嵌合する際には、レバーを初期位置へ回動させておくが、この作業は離脱規制用ロックアームを弾性変形させるだけなので、作業性が良好である。また、嵌合位置に保持されているレバーを、メンテナンス等のために退避位置へ回動させる際には、過回転規制用ロックアームを弾性変形させるだけでよいので、作業性が良好である。
【図面の簡単な説明】
【０００８】
【図１】実施例１においてレバーが嵌合位置にある状態をあらわす正面図
【図２】レバーが嵌合位置にある状態の側面図
【図３】レバーが初期位置側への回動を規制されている状態をあらわす図１のＸ−Ｘ線断面図
【図４】レバーが初期位置側へ回動可能にロック解除された状態をあらわす図１のＸ−Ｘ線相当断面図
【図５】レバーが退避位置側への回動を規制されている状態をあらわす図１のＹ−Ｙ線断面図
【図６】レバーが退避位置側へ回動可能にロック解除された状態をあらわす図１のＹ−Ｙ線相当断面図
【図７】レバーが初期位置にある状態をあらわす側断面図
【図８】レバーが嵌合位置にある状態をあらわす側断面図
【図９】レバーが退避位置にある状態をあらわす平面図
【図１０】レバーが退避位置にある状態をあらわす側面図
【図１１】レバーが嵌合位置と同じ姿勢をとっているときの正面図
【図１２】レバーが初期位置にある状態をあらわす正面図
【図１３】電線カバーの斜視図
【発明を実施するための形態】
【０００９】
本発明は、前記離脱規制用ロックアームに形成した離脱規制用ロック部と、前記過回転規制用ロックアームに形成した過回転規制用ロック部が、前記レバーの回動軸と平行な幅方向に関して互いに異なる位置に配置されていてもよい。この構成によれば、離脱規制用ロック部と過回転規制用ロック部が幅方向に干渉し合うことがないので、離脱規制用ロック部と過回転規制用ロック部の配置に関して設計の自由度が高い。
【００１０】
本発明は、前記離脱規制用ロックアームと前記過回転規制用ロックアームが、前記レバーの前記回動軸と平行な側面視において部分的に重なるように配置されていてもよい。この構成によれば、レバーの回動方向において、離脱規制用ロック部と過回転規制用ロック部の配置スペースが小さくて済むので、コネクタの小型化を図ることができる。
【００１１】
本発明は、前記離脱規制用ロックアームには、前記離脱規制用ロックアームをロック解除方向へ弾性変位させるための離脱規制用ロック解除操作部が形成され、前記離脱規制用ロック解除操作部は、前記レバーの回動軸と平行な幅方向に関して前記コネクタ本体又は前記レバーの中央部に配置されていてもよい。離脱規制用ロックアームをロック解除する作業の頻度は、過回転規制用ロックアームをロック解除する作業より高い。この点を勘案して、離脱規制用ロック解除操作部を操作し易い幅方向中央部に配置したので、作業性が良好である。
【００１２】
本発明は、前記過回転規制用ロックアームのうち前記レバーの回動軸と平行な幅方向中央部には、切欠部が形成され、前記切欠部には、前記過回転規制用ロックアームがロック解除方向へ押されることを妨げる解除操作規制部が配されていてもよい。過回転規制用ロックアームの幅方向中央部は作業者が押し操作をし易い領域であるという点に着目し、ここに解除操作規制部を配置した。これにより、過回転規制用ロックアームが不用意にロック解除方向へ押されることを防止できる。
【００１３】
本発明は、前記コネクタ本体の外面には、前記離脱規制用ロックアームをロック解除方向へ弾性変位させるための離脱規制用ロック解除操作部と、前記過回転規制用ロックアームがロック解除方向へ押されることを妨げる解除操作規制部とが、前記レバーの前記回動軸と平行な幅方向に関して同じ位置に配されており、前記レバーの回動操作部には、前記離脱規制用ロック解除操作部との干渉を回避可能であり、且つ前記解除操作規制部との干渉を回避可能な逃がし部が形成されていてもよい。この構成によれば、逃がし部を、離脱規制用ロック解除操作部と解除操作規制部とで共用化できるので、回動操作部の形状を簡素化できる。
【００１４】
＜実施例１＞
以下、本発明を具体化した実施例１を図１〜図１３を参照して説明する。尚、以下の説明において、前後の方向については、図２〜８における左方を前方と定義する。上下の方向については、図１〜８，１０〜１２にあらわれる向きを、そのまま上方、下方と定義する。
【００１５】
本実施例のレバー式コネクタＡは、コネクタ本体１０と、複数の端子金具１３と、１つのレバー２０と、左右一対のスライダ２５とを備えて構成されている。コネクタ本体１０は、合成樹脂製のハウジング１１と、合成樹脂製の電線カバー１７とを組み付けて構成されている。ハウジング１１内には、上下方向に細長い複数の端子収容室１２が形成されている。各端子収容室１２には、ハウジング１１の上方から端子金具１３が挿入されるようになっている（図１０を参照）。ハウジング１１の上端の電線導出面１５には、各端子収容室１２の上端部が端子挿入口１６として開口している。端子金具１３に接続された電線１４は、端子挿入口１６からハウジング１１の上方へ導出されている。
【００１６】
電線カバー１７は、後端面と下端面が開放された箱状をなし、ハウジング１１に対し、電線導出面１５の全領域（全ての端子挿入口１６）を覆う状態で取り付けられている。ハウジング１１に対する電線カバー１７の取付けは、ハウジング１１の前方から電線導出面１５に沿って電線カバー１７を後方へスライドさせることによって行われる。電線カバー１７をハウジング１１から取り外す際には、電線カバー１７をハウジング１１に対して前方へスライドさせる。
【００１７】
電線導出面１５から上向きに導出された電線は、電線カバー１７内で後方へ転向するように曲げられ、電線カバー１７の後方へ引き出されている。電線カバー１７をハウジング１１に取り付けた状態では、電線カバー１７の前端面１７Ｆ（図３〜６を参照）が、前方に下り勾配となるように、且つ電線導出面１５に対して直角に近い角度の斜め姿勢に配される。
【００１８】
レバー２０は、左右対称な板状をなす一対のアーム部２１と、一対のアーム部２１の基端部同士を連結する板状の連結部２２と、一対のアーム部２１の先端部同士を連結する回動操作部２３とを備えて構成され、全体として包囲の枠状をなしている。一対のアーム部２１の基端部には、軸線を左右方向（幅方向）に向けた回動軸２４が、内向きに突出した形態で形成されている。レバー２０は、ハウジング１１（コネクタ本体１０）に対し、回動軸２４をハウジング１１の後端部に嵌合することで取り付けられている。レバー２０をハウジング１１に取り付けた状態では、一対のアーム部２１がコネクタ本体１０（ハウジング１１及び電線カバー１７）の左右両外側面と対向するように配される。
【００１９】
レバー２０は、回動軸２４を中心として退避位置（図９，１０を参照）と初期位置（図７，１２を参照）との間で回動可能となっている。レバー２０の回動経路のうち退避位置と初期位置との間には、嵌合位置（図１〜６，８を参照）が設定されている。レバー２０が退避位置と初期位置との間で回動する過程では、一対のアーム部２１がハウジング１１及び電線カバー１７の左右両外側面に沿うように回動するとともに、回動操作部２３が、ハウジング１１の前面と、電線カバー１７の前面及び上面と対向した状態で旋回する。
【００２０】
スライダ２５は、ハウジング１１内に収容され、前後方向（レバー式コネクタＡと相手側コネクタＢとの嵌合方向と直交する方向）へ平行移動するようになっている。スライダ２５の後端部に形成した従動溝２６にはレバー２０の駆動軸２７が嵌合されており、レバー２０の回動にともなって、スライダ２５が前後方向にスライドするようになっている。スライダ２５には、相手側コネクタＢのカムフォロアＣと摺動可能な複数のカム溝２８が形成されている。
【００２１】
レバー２０が退避位置にある状態では、回動操作部２３が、電線導出面１５及び電線カバー１７よりも下方に配される。ハウジング１１に対して電線カバー１７を前後方向にスライドさせながら着脱する作業は、レバー２０を退避位置へ回動させた状態で行う。また、電線カバー１７をハウジング１１から外した状態では、平面視において、電線導出面１５（全ての端子挿入口１６の開口領域）の範囲内にはレバー２０が重ならないようになっている。したがって、端子収容室１２に端子金具１３を挿入する作業、及び端子収容室１２内の端子金具１３を抜き取る作業は、レバー２０を退避位置へ回動させた状態で行う。尚、レバー２０か退避位置にある状態では、回動操作部２３は、ハウジング１１（コネクタ本体１０）の前端面と対向し、コネクタ本体１０の前端より前方へ突出した位置に配される。
【００２２】
レバー２０が初期位置にある状態では、回動操作部２３が、電線カバー１７の後端部の上方、即ち電線カバー１７の上面より上方に位置する。電線カバー１７をハウジング１１から外した状態では、回動操作部２３が電線導出面１５の後端部の上方に位置する。換言すると、平面視において、回動操作部２３が電線導出面１５の後端部と重なるように位置する。したがって、複数の端子挿入口１６のうち電線導出面１５の後端部に配置された端子挿入口１６においては、端子金具１３を挿抜する際に、回動操作部２３が作業の妨げになり得る。
【００２３】
レバー２０が嵌合位置にある状態では、回動操作部２３が、電線カバー１７の前端面１７Ｆと概ね平行をなし、電線カバー１７の前端面１７Ｆに対して接近して対向するように位置する。電線カバー１７をハウジング１１から外した状態では、回動操作部２３が電線導出面１５の前端部の上方に位置する。換言すると、平面視において、回動操作部２３が電線導出面１５の前端部と重なるように位置する。したがって、複数の端子挿入口１６のうち電線導出面１５の前端部に配置された端子挿入口１６においては、端子金具１３を挿抜する際に、回動操作部２３が作業の妨げになり得る。
【００２４】
レバー式コネクタＡを組み付ける際には、電線カバー１７が外されている状態のハウジング１１に、スライダ２５とレバー２０を取り付け、レバー２０を退避位置に保持しておく。次に、各端子収容室１２に端子金具１３を挿入する。全ての端子金具１３の挿入が完了したら、電線カバー１７を前方からハウジング１１に組み付ける。電線カバー１７を組み付けた後は、退避位置のレバー２０を嵌合位置へ回動させる。以上により、レバー式コネクタＡの組付けが完了する。組み付けられたレバー式コネクタＡは、相手側コネクタＢとの嵌合現場へ搬送される。
【００２５】
レバー２０が嵌合位置にある状態では、レバー２０の回動操作部２３がレバー２０の前端に位置し、前後方向に関して、レバー２０の前端の位置はコネクタ本体１０（ハウジング１１及び電線カバー１７）の前端の位置とほぼ同じ位置にある。つまり、回動操作部２３（レバー２０の前端部）は、コネクタ本体１０の前端より前方へは突出していない。したがって、レバー２０を嵌合位置に留め置くことによってレバー式コネクタＡの前後長が長くなることはない。
【００２６】
同じく、レバー２０が嵌合位置にある状態では、回動操作部２３がレバー２０の上端に位置し、上下方向に関して、レバー２０の上端の位置はコネクタ本体１０（電線カバー１７）の上端の位置より低い位置にある。つまり、回動操作部２３（レバー２０の上端部）は、コネクタ本体１０の上端より上方へは突出していない。したがって、レバー２０を嵌合位置に留め置くことによってレバー式コネクタＡの高さ寸法が大きくなることはない。したがって、レバー式コネクタＡを搬送したり保管したりする場合は、レバー２０を嵌合位置に保持しておくことが好ましい。
【００２７】
レバー式コネクタＡと相手側コネクタＢを嵌合する際には、レバー２０を初期位置に保持した状態で、コネクタ本体１０の下方から相手側コネクタＢを浅く嵌合し、カムフォロアＣをカム溝２８の入口に進入させる。この状態から、レバー２０を嵌合位置側（図７における反時計回り方向）へ回動して、スライダ２５を前方へスライドさせる。このスライダ２５の移動に伴い、カム溝２８とカムフォロアＣとが摺接し、両コネクタＡ，Ｂの嵌合が進む。そして、レバー２０が嵌合位置に到達すると、両コネクタＡ，Ｂの嵌合が完了する。
【００２８】
両コネクタＡ，Ｂを離脱させる際には、嵌合位置のレバー２０を初期位置側へ回動させる。レバー２０の回動に伴い、スライダ２５が後方へスライドし、カム溝２８とカムフォロアＣとの摺接により、両コネクタＡ，Ｂが上下方向に離脱させられる。レバー２０が初期位置に到達すると、カムフォロアＣがカム溝２８の入口に到達するので、この後は、両コネクタＡ，Ｂを上下に引き離せばよい。
【００２９】
本実施例のレバー式コネクタＡには、レバー２０を嵌合位置に保持するためのロック手段３０が設けられている。ロック手段３０は、電線カバー１７に一体に形成された離脱規制用ロックアーム３１と、電線カバー１７に一体に形成された過回転規制用ロックアーム３５と、レバー２０の回動操作部２３に一体に形成された離脱規制用係止部４３と、回動操作部２３に一体に形成された過回転規制用係止部４４とを備えて構成されている。
【００３０】
離脱規制用ロックアーム３１は、電線カバー１７の前端面１７Ｆにおける上端縁から斜め下前方へ片持ち状に且つ板状に延出した形態である。離脱規制用ロックアーム３１は、その上端部を支点としてロック解除方向へ弾性変形し得るようになっている。ロック解除時の離脱規制用ロックアーム３１の変位方向は、斜め下後方（電線カバー１７の前端面１７Ｆに接近する方向）である。離脱規制用ロックアーム３１は、幅方向（レバー２０の回動軸２４と平行に方向）においてコネクタ本体１０（電線カバー１７）の略中央位置に配されている。
【００３１】
離脱規制用ロックアーム３１の下端部（延出端部）における前面（外面）には、左右対称な突起状をなす一対の離脱規制用ロック部３２が形成されている。離脱規制用ロック部３２は、嵌合位置のレバー２０が初期位置側への回動を開始するときの回動操作部２３の変位方向と略直角をなし、下方に面する離脱規制用ロック面３３を有している。
【００３２】
離脱規制用ロックアーム３１の前面には、左右対称な一対の離脱規制用ロック解除操作部３４が形成されている。離脱規制用ロック解除操作部３４は、板厚方向を幅方向に向けた平板状をなす。上記した離脱規制用ロック部３２は、離脱規制用ロック解除操作部３４の下端部における幅方向外側面から突出した形態である。離脱規制用ロック解除操作部３４を斜め上前方から押し操作することにより、離脱規制用ロックアーム３１をロック解除方向へ弾性変形させることができる。
【００３３】
過回転規制用ロックアーム３５は、電線カバー１７の前端面１７Ｆにおける下端縁から斜め上後方へ片持ち状に且つ板状に延出した形態である。過回転規制用ロックアーム３５は、その下端部を支点としてロック解除方向へ弾性変形し得るようになっている。ロック解除時の過回転規制用ロックアーム３５の変位方向は、離脱規制用ロックアーム３１のロック解除方向と同じく、斜め下後方（電線カバー１７の前端面１７Ｆに接近する方向）である。
【００３４】
過回転規制用ロックアーム３５は、幅方向においてコネクタ本体１０（電線カバー１７）の中央位置に配され、過回転規制用ロックアーム３５の幅寸法は、離脱規制用ロックアーム３１の幅寸法法よりも大きい寸法である。過回転規制用ロックアーム３５と離脱規制用ロックアーム３１は、夫々、個別に弾性変位可能な独立したロックアームである。
【００３５】
過回転規制用ロックアーム３５の上端は、離脱規制用ロックアーム３１の下端よりも上方に位置している。過回転規制用ロックアーム３５の上端部には、離脱規制用ロックアーム３１の下端部との干渉を回避するための凹部３６が形成されている。凹部３６は、過回転規制用ロックアーム３５の幅方向中央部を切欠した形態である。コネクタ本体１０（電線カバー１７）の前方から見たとき、凹部３６の形状は略方形である。凹部３６を形成したことで、過回転規制用ロックアーム３５の上端部には、上方へ片持ち状に延出した形態の左右対称な一対のロック片３７が形成されている。
【００３６】
一対のロック片３７の前面には、夫々、突起状の過回転規制用ロック部３８が形成されている。過回転規制用ロック部３８は、嵌合位置のレバー２０が退避位置側への回動を開始するときの回動操作部２３の変位方向と略直角をなし、上方に面する過回転規制用ロック面３９を有している。一対の過回転規制用ロック部３８と、一対の離脱規制用ロック部３２は、幅方向に関して互いに異なる位置に配置されている。即ち、一対の過回転規制用ロック部３８は、電線カバー１７の幅方向中央部に配置された離脱規制用ロック部３２を幅方向に挟むように配置されている。また、電線カバー１７を幅方向と平行に見たときの側面視においては、離脱規制用ロックアーム３１の下端部と過回転規制用ロックアーム３５の上端部とが、重なるように位置している。
【００３７】
過回転規制用ロックアーム３５の下端部には、過回転規制用ロックアーム３５の幅方向中央部を正面視略方形に切欠した形態の切欠部３９が形成されている。切欠部３９には、電線カバー１７の前端面１７Ｆから突出した形態の解除操作規制部４０が配置されている。解除操作規制部４０は、電線カバー１７に対して相対変位や弾性変形が生じ難く、離脱規制用ロックアーム３１や過回転規制用ロックアーム３５よりも高い剛性を有している。
【００３８】
解除操作規制部４０の前面には、左右対称な一対の規制突起４１が形成されている。一対の規制突起４１は、板厚方向を幅方向に向けた板状をなし、離脱規制用ロックアーム３１の下端よりも下方であり、且つ過回転規制用ロック部３８よりも下方の位置に配されている。また、一対の規制突起４１は、電線カバー１７の幅方向中央部に形成されている。一対の規制突起４１と一対の離脱規制用ロック解除操作部３４は、幅方向に関して同じ位置に配置されている。
【００３９】
規制突起４１は、過回転規制用ロックアーム３５の前面よりも前方へ突出した形態である。したがって、作業者が、電線カバー１７の前方から指を過回転規制用ロックアーム３５へ接近させたときには、指は、過回転規制用ロックアーム３５の前面に当たる前に規制突起４１に触れることになる。したがって、過回転規制用ロックアーム３５をロック解除方向へ弾性変形させるためには、指を幅方向中央から左右いずれかの方向へ外して過回転規制用ロックアーム３５の前面を押す必要がある。
【００４０】
レバー２０の回動操作部２３には、左右対称な一対の逃がし部４２が形成されている。逃がし部４２は、レバー２０の回動方向と平行な周方向に長い方形をなしており、回動操作部２３の外面から内面に貫通した形態である。一対の逃がし部４２は、幅方向において、一対の離脱規制用ロック解除操作部３４及び一対の規制突起４１と同じ位置に配置されている。また、逃がし部４２の幅方向における開口領域は、離脱規制用ロック部３２を含む範囲に亘っている。
【００４１】
回動操作部２３は幅方向に沿って延びる一対の外縁部を有するが、この一対の外縁部のうち、レバー２０が初期位置から嵌合位置へ回動するときの回動方向前側の縁部を、嵌合方向前縁部２３Ｆと定義する。嵌合方向前縁部２３Ｆの内面には、左右対称な一対の離脱規制用係止部４３が形成されている。一対の離脱規制用係止部４３は、回動操作部２３（レバー２０）の幅方向中央部、即ち幅方向において一対の離脱規制用ロック部３２と同じ位置に配されている。同じく嵌合方向前縁部２３Ｆの内面には、左右対称な一対の過回転規制用係止部４４が形成されている。一対の過回転規制用係止部４４は、幅方向において一対の離脱規制用係止部４３を挟む位置、即ち幅方向において一対の過回転規制用ロック部３８と同じ位置に配されている。
【００４２】
次に、本実施例の作用及び効果を説明する。レバー２０を嵌合位置へ回動させると、回動操作部２３が、離脱規制用ロックアーム３１の下端側領域、及び過回転規制用ロックアーム３５の上端部（ロック片３７）と対向する位置に配される。また、一対の離脱規制用ロック解除操作部３４が、一対の逃がし部４２内に進入して回動操作部２３の前面（外面）から突出した状態となる。つまり、離脱規制用ロック解除操作部３４は、回動操作部２３の外面に露出し、ロック解除操作を行うことができる状態となる。
【００４３】
図３に示すように、回動操作部２３の離脱規制用係止部４３が離脱規制用ロック部３２に対して下から係止可能な状態で対向するので、レバー２０は初期位置側（両コネクタＡ，Ｂを離脱させる方向であり、図３における時計回り方向）への回動が規制される。また、図５に示すように、回動操作部２３の過回転規制用係止部４４が過回転規制用ロック部３８に対して上から係止可能な状態で対向するので、レバー２０の退避位置側（図５における反時計回り方向）への回動が規制される。つまり、レバー２０が初期位置側への外力や退避位置側への外力を受けても、嵌合位置のレバー２０は回動を規制された状態に保持される。
【００４４】
この状態から、レバー２０を初期位置側へ回動させる際には、離脱規制用ロック解除操作部３４の押し操作によって離脱規制用ロックアーム３１をロック解除方向へ弾性変位させる。すると、図４に示すように、離脱規制用ロック部３２が離脱規制用係止部４３から解離するので、レバー２０は初期位置側（図４における時計回り方向）へ回動し得る状態となる。このロック解除操作は、離脱規制用ロック解除操作部３４を押し操作するだけで良いので、作業性が良い。
【００４５】
また、嵌合位置のレバー２０を退避位置側へ回動させる際には、過回転規制用ロックアーム３５の下端部、即ち過回転規制用ロックアーム３５のうち回動操作部２３の下方に露出している領域を押し操作する。この押し操作により、過回転規制用ロックアーム３５がロック解除方向へ弾性変位させられ、図６に示すように、過回転規制用ロック部３８が過回転規制用係止部４４から解離する。これにより、レバー２０は退避位置側（図６における反時計回り方向）へ回動し得る状態となる。このロック解除操作は、過回転規制用ロック解除操作部を押し操作するだけで良いので、作業性が良い。
【００４６】
本実施例１のレバー式コネクタＡは、端子収容室１２が形成されたコネクタ本体１０と、コネクタ本体１０の外面に開口する端子挿入口１６から端子収容室１２内に挿入される端子金具１３と、コネクタ本体１０に取り付けたレバー２０とを備えている。レバー２０は、相手側コネクタＢとの嵌合の際には初期位置から嵌合位置へ回動され、端子金具１３を端子収容室１２に挿入する際には端子挿入口１６とラップしない退避位置へ回動される。
【００４７】
また、コネクタ本体１０には、嵌合位置のレバー２０を初期位置側への回動規制状態にロック可能であり、弾性変形することでロックを解除してレバー２０が初期位置側へ回動することを許容する離脱規制用ロックアーム３１が形成されている。同じく、コネクタ本体１０には、嵌合位置のレバー２０を退避位置側への回動規制状態にロック可能であり、弾性変形することでロックを解除してレバー２０が退避位置側へ回動することを許容する過回転規制用ロックアーム３５が形成されいる。
【００４８】
本実施例のレバー式コネクタＡは、離脱規制用ロックアーム３１と過回転規制用ロックアーム３５とによってレバー２０を嵌合位置に保持される。レバー式コネクタＡを相手側コネクタＢと嵌合する際には、レバー２０を初期位置へ回動させておくが、この作業は離脱規制用ロックアーム３１を弾性変形させるだけなので、作業性が良好である。また、嵌合位置に保持されているレバー２０を、メンテナンス等のために退避位置へ回動させる際には、過回転規制用ロックアーム３５を弾性変形させるだけでよいので、作業性が良好である。
【００４９】
また、離脱規制用ロックアーム３１に形成した離脱規制用ロック部３２と、過回転規制用ロックアーム３５に形成した過回転規制用ロック部３８は、レバー２０の回動軸２４と平行な幅方向に関して互いに異なる位置に配置されている。この構成によれば、離脱規制用ロック部３２と過回転規制用ロック部３８が幅方向に干渉し合うことがないので、離脱規制用ロック部３２と過回転規制用ロック部３８の配置に関して設計の自由度が高い。
【００５０】
また、離脱規制用ロックアーム３１と過回転規制用ロックアーム３５は、レバー２０の回動軸２４と平行な側面視において部分的に重なるように配置されている。具体的には、離脱規制用ロックアーム３１の下端部と過回転規制用ロックアーム３５の上端部（ロック片３７）が、側面視において重なるように位置している。この構成によれば、レバー２０の回動方向において、離脱規制用ロック部３２と過回転規制用ロック部３８の配置スペースが小さくて済むので、コネクタの小型化（電線カバー１７の低背化）を図ることができる。
【００５１】
また、離脱規制用ロックアーム３１には、離脱規制用ロックアーム３１をロック解除方向へ弾性変位させるための離脱規制用ロック解除操作部３４が形成されているのであるが、離脱規制用ロックアーム３１をロック解除する作業の頻度は、過回転規制用ロックアーム３５をロック解除する作業より高い。そこで、離脱規制用ロック解除操作部３４を、レバー２０の回動軸２４と平行な幅方向に関してコネクタ本体１０の中央部に配置した。幅方向中央部は、幅方向両端部に比べて押し操作を行い易いので、離脱規制用ロック解除操作部３４を押し操作する際の作業性が良好である。
【００５２】
また、過回転規制用ロックアーム３５をロック解除する作業の頻度は、離脱規制用ロックアーム３１をロック解除する作業より低いので、過回転規制用ロックアーム３５が不用意にロック解除方向へ押されることを回避する手段を設けることが好ましい。そこで、過回転規制用ロックアーム３５のうち作業者が押し操作がし易い領域である幅方向中央部に、切欠部３９を形成し、切欠部３９に、過回転規制用ロックアーム３５がロック解除方向へ押されることを妨げる解除操作規制部４０を配した。これにより、過回転規制用ロックアーム３５が不用意にロック解除方向へ押されることを防止できる。
【００５３】
また、電線カバー１７の前端面１７Ｆ（コネクタ本体１０の外面）には、離脱規制用ロックアーム３１をロック解除方向へ弾性変位させるための離脱規制用ロック解除操作部３４が形成されている。同じく、電線カバー１７の前端面１７Ｆには、過回転規制用ロックアーム３５がロック解除方向へ押されることを妨げる解除操作規制部４０が形成されている。この離脱規制用ロック解除操作部３４と解除操作規制部４０を、幅方向に関して同じ位置に配置した上で、レバー２０の回動操作部２３に、離脱規制用ロック解除操作部３４との干渉を回避可能であり、且つ解除操作規制部４０との干渉を回避可能な逃がし部４２を形成した。この構成によれば、逃がし部４２を離脱規制用ロック解除操作部３４と解除操作規制部４０とで共用化できるので、回動操作部２３の形状を簡素化できる。
【００５４】
＜他の実施例＞
本発明は上記記述及び図面によって説明した実施例に限定されるものではなく、例えば次のような実施例も本発明の技術的範囲に含まれる。
（１）上記実施例１では、離脱規制用ロックアームと過回転規制用ロックアームの両ロックアームをコネクタ本体に設けたが、離脱規制用ロックアームと過回転規制用ロックアームの両ロックアームをレバーに設けてもよく、離脱規制用ロックアームと過回転規制用ロックアームのうちいずれか一方をコネクタ本体に設け、他方をレバーに設けてもよい。
（２）上記実施例では、離脱規制用ロックアームと過回転規制用ロックアームを互いに個別に弾性変位可能な独立したロックアームとしたが、離脱規制用ロックアームと過回転規制用ロックアームを１つのロックアームとして一体的に弾性変位し得る形態としてもよい。
（３）上記実施例では、離脱規制用ロック部と過回転規制用ロック部を、レバーの回動軸と平行な方向に関して互いに異なる位置に配置したが、離脱規制用ロック部と過回転規制用ロック部を、レバーの回動軸と平行な方向に関して同じ位置で、且つレバーの回動方向に沿って並ぶような形態で配置してもよい。
（４）上記実施例では、離脱規制用ロックアームと過回転規制用ロックアームが、レバーの回動軸と平行な側面視において部分的に重なるように配置されているが、離脱規制用ロックアームと過回転規制用ロックアームは、レバーの回動軸と平行な側面視において重ならないように配置されていてもよい。
（５）上記実施例では、離脱規制用ロック部を幅方向中央部に配置し、この離脱規制用ロック部を幅方向に挟むように一対の過回転規制用ロック部を配置したが、これとは逆に、過回転規制用ロック部を幅方向中央部に配置し、この過回転規制用ロック部を幅方向に挟むように一対の離脱規制用ロック部を配置してもよい。
（６）上記実施例では、離脱規制用ロック解除操作部を幅方向中央部に配置したが、離脱規制用ロック解除操作部は、幅方向中央部から側方へ偏った位置に配置してもよい。
（７）上記実施例では、解除操作規制部を幅方向中央部に配置したが、解除操作規制部は、幅方向中央部から側方へ偏った位置に配置してもよい。
（８）上記実施例では、離脱規制用ロック解除操作部と解除操作規制部を幅方向に関して同じ位置に配置したが、離脱規制用ロック解除操作部と解除操作規制部は幅方向に関して互いに異なる位置に配置してもよい。
（９）上記実施例では、レバーをコネクタ本体に対して上から（電線導出面側から）組み付けたが、レバーは、コネクタ本体の下から組み付けるようにしてもよい。
（１０）上記実施例では、レバーが嵌合位置にあるときにレバーの回動操作部が電線導出面と対向する位置（端子挿入口に対する端子金具の挿抜を妨げる位置）に配されるようにしたが、レバーが嵌合位置にあるときにレバーの回動操作部が電線導出面と対向しない位置に配されるようにしてもよい。
（１１）上記実施例では、レバーの回動操作力をスライダに伝達するタイプのレバー式コネクタに適用した場合について説明したが、本発明は、スライダを有しないタイプのレバー式コネクタにも適用できる。
（１２）上記実施例では、離脱規制用ロックアームと過回転規制用ロックアームの両ロックアームを、コネクタ本体を構成するハウジングと電線カバーのうち電線カバーのみに設けたが、これに限らず、離脱規制用ロックアームと過回転規制用ロックアームの両ロックアームをハウジングのみに設けてもよく、離脱規制用ロックアームと過回転規制用ロックアームのうち一方のロックアームをハウジングに設け、他方のロックアームを電線カバーに設けてもよい。
【符号の説明】
【００５５】
Ａ…レバー式コネクタ
Ｂ…相手側コネクタ
１０…コネクタ本体
１２…端子収容室
１３…端子金具
１６…端子挿入口
２０…レバー
２３…回動操作部
２４…回動軸
３１…離脱規制用ロックアーム
３２…離脱規制用ロック部
３４…離脱規制用ロック解除操作部
３５…過回転規制用ロックアーム
３８…過回転規制用ロック部
３９…切欠部
４０…解除操作規制部
４２…逃がし部
【図１】
2019169326.tif 000003
【図２】
2019169326.tif 000004
【図３】
2019169326.tif 000005
【図４】
2019169326.tif 000006
【図５】
2019169326.tif 000007
【図６】
2019169326.tif 000008
【図７】
2019169326.tif 000009
【図８】
2019169326.tif 000010
【図９】
2019169326.tif 000011
【図１０】
2019169326.tif 000012
【図１１】
2019169326.tif 000013
【図１２】
2019169326.tif 000014
【図１３】
2019169326.tif 000015